【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】
【請求項１】
再生機を制御する再生機制御工程と、前記再生機側の記録媒体位置を検出する検出工程と、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶する記憶工程と、前記記憶工程により記憶されたカットデータに対応して記録機を制御する記録機制御工程と、前記記憶工程により記憶されたカットデータに基づいて所定の順番で前記再生機にて再生されたカットを前記記録機により記録媒体に記録するように制御する記録制御工程と、前記記憶工程により記憶されたカットデータに基づいて新たな編集開始カット及び編集終了カットを選択するとともに前記記憶されたカットデータを更新する選択工程とを有することを特徴とする編集方法。
【請求項２】
前記カットデータが記憶されていないカットを検出した際に編集終了とする編集終了検出工程を有することを特徴とする請求項１記載の編集方法。
【請求項３】
前記記憶工程により記憶されたカットデータに基づいて予め定められたカットの順番を変更するカット順番変更工程を有することを特徴とする請求項１記載の編集方法。
【請求項４】
前記記憶工程により記憶されたカットデータを他のカットに複写する複写工程を有することを特徴とする請求項１記載の編集方法。
【請求項５】
前記選択工程で編集開始カット及び編集終了カットを選択する際に必要な情報を表示するための表示工程を有することを特徴とする請求項１記載の編集方法。
【請求項６】
再生機を制御する再生機制御手段と、前記再生機側の記録媒体位置を検出する検出手段と、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶する記憶手段と、前記記憶手段により記憶されたカットデータに対応して記録機を制御する記録機制御手段と、前記記憶手段により記憶されたカットデータに基づいて所定の順番で前記再生機にて再生されたカットを前記記録機により記録媒体に記録するように制御する記録制御手段と、前記記憶手段により記憶されたカットデータに基づいて新たな編集開始カット及び編集終了カットを選択するとともに前記記憶されたカットデータを更新する選択手段とを有することを特徴とする編集装置。
【請求項７】
前記カットデータが記憶されていないカットを検出した際に編集終了とする編集終了検出手段を有することを特徴とする請求項６記載の編集装置。
【請求項８】
前記記憶手段により記憶されたカットデータに基づいて予め定められたカットの順番を変更するカット順番変更手段を有することを特徴とする請求項６記載の編集装置。
【請求項９】
前記記憶手段により記憶されたカットデータを他のカットに複写する複写手段を有することを特徴とする請求項６記載の編集装置。
【請求項１０】
前記選択手段で編集開始カット及び編集終了カットを選択する際に必要な情報を表示するための表示手段を有することを特徴とする請求項６記載の編集装置。
【請求項１１】
前記再生機側の記録媒体はテープ状であることを特徴とする請求項６乃至１０の何れか１項に記載の編集装置。
【請求項１２】
前記編集装置は前記再生機と一体的に構成され、カメラ一体型記録再生装置に組み込まれていることを特徴とする請求項６乃至１０の何れか１項に記載の編集装置。
【請求項１３】
前記カメラ一体型記録再生装置は、カメラ一体型ＶＴＲ（ビデオテープレコーダ）であることを特徴とする請求項１２記載の編集装置。
【請求項１４】
記録媒体に記録されている記録内容を編集する編集装置を制御するための制御プログラムを格納する記憶媒体であって、再生機を制御し、前記再生機側の記録媒体位置を検出し、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶し、前記記憶されたカットデータに対応して記録機を制御し、前記記憶されたカットデータに基づいて所定の順番で前記再生機にて再生されたカットを前記記録機により記録媒体に記録するように制御し、さらに必要に応じて前記記憶されたカットデータに基づいて新たな編集開始カット及び編集終了カットを選択するとともに前記記憶されたカットデータを更新するように制御するステップの制御モジュールを有する制御プログラムを格納したことを特徴とする記憶媒体。
【請求項１５】
前記制御プログラムは、前記カットデータが記憶されていないカットを検出した際に編集終了とするように制御するステップの制御モジュールを有することを特徴とする請求項１４記載の記憶媒体。
【請求項１６】
前記制御プログラムは、前記記憶されたカットデータに基づいて予め定められたカットの順番を変更するように制御するステップの制御モジュールを有することを特徴とする請求項１４記載の記憶媒体。
【請求項１７】
前記制御プログラムは、前記記録されたカットデータを他のカットに複写するように制御するステップの制御モジュールを有することを特徴とする請求項１４記載の記憶媒体。
【請求項１８】
前記編集開始カット及び編集終了カットを選択する際に必要な情報を表示するように制御するステップの制御モジュールを有することを特徴とする請求項１４記載の記憶媒体。
【手続補正２】
【補正対象書類名】明細書
【補正対象項目名】０００７
【補正方法】変更
【補正の内容】
【０００７】
本発明は上述した従来技術の有するこのような問題点に鑑みてなされたものであり、その第１の目的とするところは、使用者が編集開始カット及び編集終了カットを任意設定することができると共に、１つの編集プログラム内に複数の編集を設定することができる編集方法及び装置並びに記憶媒体を提供しようとするものである。
【手続補正３】
【補正対象書類名】明細書
【補正対象項目名】０００８
【補正方法】変更
【補正の内容】
【０００８】
また、本発明の第２の目的とするところは、第１の目的に加えて、編集時の操作項目を削減することができる編集方法及び装置並びに記憶媒体を提供しようとするものである。
【手続補正４】
【補正対象書類名】明細書
【補正対象項目名】０００９
【補正方法】変更
【補正の内容】
【０００９】
また、本発明の第３の目的とするところは、第１の目的に加えて、不要カットを削除せずに不要カットを抜いた編集動作を行うことができる編集方法及び装置並びに記憶媒体を提供しようとするものである。
【手続補正５】
【補正対象書類名】明細書
【補正対象項目名】００１０
【補正方法】変更
【補正の内容】
【００１０】
また、本発明の第４の目的とするところは、第１の目的に加えて、簡単な操作で同じカットのデータを他のカットに入力することができる編集方法及び装置並びに記憶媒体を提供しようとするものである。
【手続補正６】
【補正対象書類名】明細書
【補正対象項目名】００１１
【補正方法】変更
【補正の内容】
【００１１】
また、本発明の第５の目的とするところは、第１の目的に加えて、編集開始カット設定時の使用者の操作ミスを未然に防ぐことができる編集方法及び装置並びに記憶媒体を提供しようとするものである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
【課題を解決するための手段】
上記第１の目的を達成するために請求項１記載の編集方法は、再生機を制御する再生機制御工程と、前記再生機側の記録媒体位置を検出する検出工程と、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶する記憶工程と、前記記憶工程により記憶されたカットデータに対応して記録機を制御する記録機制御工程と、前記記憶工程により記憶されたカットデータに基づいて所定の順番で前記再生機にて再生されたカットを前記記録機により記録媒体に記録するように制御する記録制御工程と、前記記憶工程により記憶されたカットデータに基づいて新たな編集開始カット及び編集終了カットを選択するとともに前記記憶されたカットデータを更新する選択工程とを有することを特徴とする。
【手続補正１１】
【補正対象書類名】明細書
【補正対象項目名】００１６
【補正方法】変更
【補正の内容】
【００１６】
また、上記第２の目的を達成するために請求項２記載の編集方法は、請求項１記載の編集方法において、前記カットデータが記憶されていないカットを検出した際に編集終了とする編集終了検出工程を有することを特徴とする。
【手続補正１２】
【補正対象書類名】明細書
【補正対象項目名】００１７
【補正方法】変更
【補正の内容】
【００１７】
また、上記第３の目的を達成するために請求項３記載の編集方法は、請求項１記載の編集方法において、前記記憶工程により記憶されたカットデータに基づいて予め定められたカットの順番を変更するカット順番変更工程を有することを特徴とする。
【手続補正１３】
【補正対象書類名】明細書
【補正対象項目名】００１９
【補正方法】変更
【補正の内容】
【００１９】
また、上記第５の目的を達成するために請求項５記載の編集方法は、請求項１記載の編集方法において、前記選択工程で編集開始カット及び編集終了カットを選択する際に必要な情報を表示するための表示工程を有することを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
また、上記第１の目的を達成するために請求項６記載の編集装置は、再生機を制御する再生機制御手段と、前記再生機側の記録媒体位置を検出する検出手段と、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶する記憶手段と、前記記憶手段により記憶されたカットデータに対応して記録機を制御する記録機制御手段と、前記記憶手段により記憶されたカットデータに基づいて所定の順番で前記再生機にて再生されたカットを前記記録機により記録媒体に記録するように制御する記録制御手段と、前記記憶手段により記憶されたカットデータに基づいて新たな編集開始カット及び編集終了カットを選択するとともに前記記憶されたカットデータを更新する選択手段とを有することを特徴とする。
【手続補正２０】
【補正対象書類名】明細書
【補正対象項目名】００２６
【補正方法】変更
【補正の内容】
【００２６】
また、上記第２の目的を達成するために請求項７記載の編集装置は、請求項６記載の編集装置において、前記カットデータが記憶されていないカットを検出した際に編集終了とする編集終了検出手段を有することを特徴とする。
【手続補正２１】
【補正対象書類名】明細書
【補正対象項目名】００２７
【補正方法】変更
【補正の内容】
【００２７】
また、上記第３の目的を達成するために請求項８記載の編集装置は、請求項６記載の編集装置において、前記記憶手段により記憶されたカットデータに基づいて予め定められたカットの順番を変更するカット順番変更手段を有することを特徴とする。
【手続補正２２】
【補正対象書類名】明細書
【補正対象項目名】００２８
【補正方法】変更
【補正の内容】
【００２８】
また、上記第４の目的を達成するために請求項９記載の編集装置は、請求項６記載の編集装置において、前記記憶手段により記憶されたカットデータを他のカットに複写する複写手段を有することを特徴とする。
【手続補正２３】
【補正対象書類名】明細書
【補正対象項目名】００２９
【補正方法】変更
【補正の内容】
【００２９】
また、上記第５の目的を達成するために請求項１０記載の編集装置は、請求項６記載の編集装置において、前記選択手段で編集開始カット及び編集終了カットを選択する際に必要な情報を表示するための表示手段を有することを特徴とする。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】変更
【補正の内容】
【００３２】
また、上記第１の目的を達成するために請求項１１記載の編集装置は、請求項６乃至１０のいずれか１項に記載の編集装置において、前記再生機側の記録媒体はテープ状であることを特徴とする。
【手続補正２７】
【補正対象書類名】明細書
【補正対象項目名】００３３
【補正方法】変更
【補正の内容】
【００３３】
また、上記第１の目的を達成するために請求項１２記載の編集装置は、請求項６乃至１０のいずれか１項に記載の編集装置において、前記編集装置は前記再生機と一体的に構成され、カメラ一体型記録再生装置に組み込まれていることを特徴とする。
【手続補正２８】
【補正対象書類名】明細書
【補正対象項目名】００３４
【補正方法】変更
【補正の内容】
【００３４】
また、上記第１の目的を達成するために請求項１３記載の編集装置は、請求項１２記載の編集装置において、前記カメラ一体型記録再生装置は、カメラ一体型ＶＴＲ（ビデオテープレコーダ）であることを特徴とする。
【手続補正２９】
【補正対象書類名】明細書
【補正対象項目名】００３５
【補正方法】変更
【補正の内容】
【００３５】
また、上記第１の目的を達成するために請求項１４記載の記憶媒体は、記録媒体に記録されている記録内容を編集する編集装置を制御するための制御プログラムを格納する記憶媒体であって、再生機を制御し、前記再生機側の記録媒体位置を検出し、前記再生機が再生する信号の一部（以下、カットと記述する）に関する前記カット開始記録媒体位置（以下、カットインと記述する）及びカット終了記録媒体位置（以下、カットアウトと記述する）から形成されるカットデータを記憶し、前記記憶されたカットデータに対応して記録機を制御し、前記記憶されたカットデータに基づいて所定の順番で前記再生機にて再生されたカットを前記記録機により記録媒体に記録するように制御し、さらに必要に応じて前記記憶されたカットデータに基づいて新たな編集開始カット及び編集終了カットを選択するとともに前記記憶されたカットデータを更新するように制御するステップの制御モジュールを有する制御プログラムを格納したことを特徴とする。
【手続補正３０】
【補正対象書類名】明細書
【補正対象項目名】００３６
【補正方法】変更
【補正の内容】
【００３６】
また、上記第２の目的を達成するために請求項１５記載の記憶媒体は、請求項１４記載の記憶媒体において、前記制御プログラムは、前記カットデータが記憶されていないカットを検出した際に編集終了とするように制御するステップの制御モジュールを有することを特徴とする。
【手続補正３１】
【補正対象書類名】明細書
【補正対象項目名】００３７
【補正方法】変更
【補正の内容】
【００３７】
また、上記第３の目的を達成するために請求項１６記載の記憶媒体は、請求項１４記載の記憶媒体において、前記制御プログラムは、前記カットデータが記憶されていないカットを検出した際に編集終了とするように制御するステップの制御モジュールを有することを特徴とする。
【手続補正３２】
【補正対象書類名】明細書
【補正対象項目名】００３８
【補正方法】変更
【補正の内容】
【００３８】
また、上記第４の目的を達成するために請求項１７記載の記憶媒体は、請求項１４記載の記憶媒体において、前記制御プログラムは、前記記憶されたカットデータに基づいて予め定められたカットの順番を変更するように制御するステップの制御モジュールを有することを特徴とする。
【手続補正３３】
【補正対象書類名】明細書
【補正対象項目名】００３９
【補正方法】変更
【補正の内容】
【００３９】
また、上記第５の目的を達成するために請求項１８記載の記憶媒体は、請求項１４記載の記憶媒体において、前記編集開始カット及び編集終了カットを選択する際に必要な情報を表示するように制御するステップの制御モジュールを有することを特徴とする。
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】０１７５
【補正方法】変更
【補正の内容】
【０１７５】
【発明の効果】
以上詳述したように本発明の請求項１及び６記載の編集方法及び装置並びに請求項１４記載の記憶媒体によれば、使用者が編集開始カット及び編集終了カットを任意設定することができると共に、１つの編集プログラム内に複数の編集を設定することができるという効果を奏する。
【手続補正４０】
【補正対象書類名】明細書
【補正対象項目名】０１７６
【補正方法】変更
【補正の内容】
【０１７６】
また、本発明の請求項２及び７記載の編集方法及び装置並びに請求項１５記載の記憶媒体によれば、請求項１及び６記載の編集方法及び装置並びに請求項１４記載の記憶媒体の効果に加えて、編集時の操作項目を削減することができるという効果を奏する。
【手続補正４１】
【補正対象書類名】明細書
【補正対象項目名】０１７７
【補正方法】変更
【補正の内容】
【０１７７】
また、本発明の請求項３及び８記載の編集方法及び装置並びに請求項１６記載の記憶媒体によれば、請求項１及び６記載の編集方法及び装置並びに請求項１４記載の記憶媒体の効果に加えて、不要カットを削除せずに不要カットを抜いた編集動作を行うことができるという効果を奏する。
【手続補正４２】
【補正対象書類名】明細書
【補正対象項目名】０１７８
【補正方法】変更
【補正の内容】
【０１７８】
また、本発明の請求項４及び９記載の編集方法及び装置並びに請求項１７記載の記憶媒体によれば、請求項１及び６記載の編集方法及び装置並びに請求項１４記載の記憶媒体の効果に加えて、簡単な操作で同じカットのデータを他のカットに入力することができるという効果を奏する。
【手続補正４３】
【補正対象書類名】明細書
【補正対象項目名】０１７９
【補正方法】変更
【補正の内容】
【０１７９】
また、本発明の請求項５及び１０記載の編集方法及び装置並びに請求項１８記載の記憶媒体によれば、請求項１及び６記載の編集方法及び装置並びに請求項１４記載の記憶媒体の効果に加えて、編集開始カット設定時の使用者の操作ミスを未然に防ぐことができるという効果を奏する。
【手続補正４４】
【補正対象書類名】明細書
【補正対象項目名】０１８０
【補正方法】削除
【補正の内容】
【手続補正４５】
【補正対象書類名】明細書
【補正対象項目名】０１８１
【補正方法】削除
【補正の内容】
【手続補正４６】
【補正対象書類名】明細書
【補正対象項目名】０１８２
【補正方法】削除
【補正の内容】